(57)【要約】【課題】装着溝５２の軸方向位置についてのピストン（装着部材）５１の仕様が変更されても、同じ治具を使用し続けることができるリング装着治具を提供する。【解決手段】リング５４を弾性的に拡径させる円錐面状スライド面を設けたスライド治具と、リング５４を押圧してスライドさせる押し込み治具とを有する。スライド治具は、スライド面を設けた第一スライド治具のほかに第二スライド治具６を有する。第二スライド治具６は、第一スライド治具にて拡径したリング５４を保持した状態で装着部材５１に外挿され、装着溝５２近傍でリング５４を押さえてこの第二スライド治具６を引き抜くことによりリング５４を装着溝５２に装着するものであり、かつ軸方向全長に亙って装着部材５１の外径寸法よりも大きな内径寸法を有して装着部材５１に対する外挿深さを制限されない形状とされている。【選択図】図２
2007021694.tif 000002
【特許請求の範囲】
【請求項１】
ピストン等の装着部材（５１）の外周面に設けた環状の装着溝（５２）に組合せシール等のリング（５４）を装着する際に使用する装着治具であって、
前記リング（５４）を軸方向にスライドさせながら弾性的に拡径させる円錐面状のスライド面（４）を設けたスライド治具（１）と、前記スライド治具（１）にセットしたリング（５４）を押圧して前記スライド面（４）に沿ってスライドさせる押し込み治具（１１）とを有し、
前記スライド治具（１）は、前記スライド面（４）を設けた第一スライド治具（２）のほかに第二スライド治具（６）を有し、
前記第二スライド治具（６）は、前記第一スライド治具（２）にて拡径したリング（５４）を保持した状態で前記装着部材（５１）に外挿され、装着溝（５２）近傍でリング（５４）を押さえてこの第二スライド治具（６）を引き抜くことによりリング（５４）を装着溝（５２）に装着するものであり、かつ軸方向全長に亙って前記装着部材（５１）の外径寸法よりも大きな内径寸法を有して前記装着部材（５１）に対する外挿深さを制限されない形状とされていることを特徴とするリング装着治具。
【請求項２】
請求項１のリング装着治具において、
第二スライド治具（６）は、第一スライド治具（１）にて拡径したリング（５４）を保持するリング保持部（７）と、この第二スライド治具（６）を引き抜くときに使用される引き抜き操作部（８）とを有することを特徴とするリング装着治具。
【請求項３】
請求項１または２のリング装着治具において、
当該リング装着治具は、スライド治具（１）および押し込み治具（１１）のほかに、装着溝（５２）に装着したリング（５４）の外径寸法を矯正するための矯正治具（２１）を有し、
前記矯正治具（２１）はこれも、軸方向全長に亙って装着部材（５１）の外径寸法よりも大きな内径寸法を有して前記装着部材（５１）に対する外挿深さを制限されない形状とされていることを特徴とするリング装着治具。
【発明の詳細な説明】
【技術分野】
【０００１】
本発明は、ピストン等の装着部材に組合せシール等のリングを装着する際に用いられるリング装着治具に関するものである。
【背景技術】
【０００２】
例えば、図３（Ａ）に示すように、ピストン（センタースイベル）５１の外周面に設けた環状の装着溝５２に、ピストンシールの一種である組合せシール５３を装着する場合、従来は、図４に示すリング装着治具が用いられている。
【０００３】
図３（Ｂ）に拡大して示すように、組合せシール５３は、樹脂製の摺動リング５４とゴム製のバックリング５５との組み合わせよりなり、材質上の特性から比較的硬く装着しづらい前者の摺動リング（以下、単にリングとも称する）５４を装着溝５２に装着する際に図４のリング装着治具が用いられる。すなわち、摺動リング５４の内径寸法はピストン５１の外径寸法よりも随分と小さく、かつ上記したように摺動リング５４は材質上の特性から比較的硬く弾性変形しにくいことから、素手では装着溝５２に装着することができず、よって専用のリング装着治具が用いられる。尚、図３のピストン５１は装着溝５２を複数（図では４箇所）有しているので、この複数の装着溝５２のそれぞれに組合せシール５３を装着する。
【０００４】
図４のリング装着治具は、スライド治具６１と、押し込み治具７１とを有している。
【０００５】
スライド治具６１は、装着作業時にピストン５１の端面５１ａに突き当てられる筒状本体６２を有しており、この筒状本体６２の外周面に、リング５４を軸方向にスライドさせながら弾性的に拡径させる円錐面状スライド面６３が設けられている。また、筒状本体６２の先端側（図上右側）には、ピストン５１の外周側に挿抜自在に外挿される筒状先端部６４が一体成形されており、この筒状先端部６４の外周面に、円錐面状スライド面６３の最大径と同径の円筒面状スライド面６５が設けられている。また、筒状先端部６４の軸方向長さは、ピストン５１の端面５１ａから最も奥（遠い位置）の装着溝５２までの軸方向長さに合わせて形成されている。
【０００６】
一方、押し込み治具７１は、スライド治具６１の更に外周側に外挿されるように大径の筒状に形成されており、その先端に、スライド治具６１にセットしたリング５４を押圧してスライド面６３，６５に沿ってスライドさせる先端押圧部７２が設けられている。
【０００７】
上記スライド治具６１および押し込み治具７１を有するリング装着治具を用いて装着溝５２にリング５４を装着するに際しては、図４（Ａ）に示すように、ピストン５１にスライド治具６１をセットするとともにスライド治具６１の円錐面状スライド面６３にリング５４をセットし、このリング５４を押し込み治具７１にて軸方向に押圧する（矢印Ａ）。押圧されたリング５４は、円錐面状スライド面６３上を軸方向にスライドし、このとき、円錐面状スライド面６３のテーパーにしたがって徐々に弾性的に拡径せしめられる。拡径したリング５４は拡径状態を保ったまま引き続き円筒面状スライド面６５上を軸方向にスライドし、図４（Ｂ）に示すように、筒状先端部６４の先端から外れるのと同時に弾性的に縮径復帰して装着溝５２に装着される。
【０００８】
次いで、奥から２番目の装着溝５２にリング５４を装着するが、このときは一旦、ピストン５１からスライド治具６１を取り外して、図４（Ｃ）に示すようにピストン５１の端面５１ａとスライド治具６１の筒状本体６２との間にスペーサ８１を介装し、この状態で上記と同じ手順にて装着作業を行なう。スペーサ８１の軸方向幅は、ピストン５１の端面５１ａから最も奥の装着溝５２までの軸方向長さとピストン５１の端面５１ａから奥から２番目の装着溝５２までの軸方向長さとの差と同じ大きさに形成されているので、スペーサ８１の介装によりスライド治具６１の筒状先端部６４の先端は２番目の装着溝５２に合致した位置に配置され、この状態で装着作業が行なわれる。次いで、３番目の装着溝５２にリング５４を装着するが、このときはスペーサ８１を軸方向幅の大きなものと交換してから上記と同じ手順にて装着作業を行ない、４番目（最も手前側）の装着溝５２にリング５４を装着するときには、スペーサ８１を軸方向幅の更に大きなものと交換してから上記と同じ手順にて装着作業を行なう。
【０００９】
また、各装着溝５２に装着されたリング５４は、縮径復帰の結果として装着溝５２に装着されるが、装着作業に際して上記したように一旦大きく拡径されることから、縮径の度合いが不十分なことがあり、そのままの外径寸法では大き過ぎて、ピストン５１と組み合わされるシリンダ５６の内径寸法に適合しないことがある。そこで、装着の仕上げ作業としてリング径寸法の矯正作業を行ない、この作業には、同じリング装着治具の一部である矯正治具９１が用いられる。
【００１０】
図５に示すように、矯正治具９１は、シリンダ５６の内径と同径の内径寸法を備えた円筒状に形成されており、その先端内周に、円錐面状ガイド面９２が設けられ、後端内周に、ピストン５１の端面５１ａに突き当てられる内向き鍔状のストッパ部９３が設けられている。また、この矯正治具９１の軸方向長さは、すべてのリング５４をまとめて矯正できるよう、ピストン５１の端面５１ａから最も奥の装着溝５２までの軸方向長さよりも少々大きく形成されている。そして、この矯正治具９１をピストン５１に対して軸方向に押し込んで（矢印Ｂ）、所定の時間が経過すると、絞りによる所謂癖付け作用によって、各装着溝５２に装着されたリング５４をまとめて縮径矯正することができる。
【００１１】
しかしながら、上記従来のリング装着治具によると、以下のような不都合がある。
【００１２】
すなわち、図４に示したように、スライド治具６１は、その筒状本体６２がピストン５１の端面５１ａに突き当てられた状態で使用されるものである。したがって、ピストン５１の仕様が変更されて、ピストン５１の端面５１ａから最も奥の装着溝５２までの軸方向長さが延長されると、スライド治具６１の筒状先端部６４の先端が装着溝５２に届かない事態が発生し、この場合、装着溝５２にリング５４を装着することができない。押し込み治具７１の軸方向長さが不足する場合も同様である。
【００１３】
また、スペーサ８１は、その軸方向幅がピストン５１の端面５１ａから各装着溝５２までの軸方向長さに合わせて形成されるものである。したがって、ピストン５１の仕様が変更されて、ピストン５１の端面５１ａから装着溝５２までの軸方向長さが変更されると、スライド治具６１の筒状先端部６４の先端と装着溝５２との軸方向位置が合わない事態が発生し、この場合、装着溝５２にリング５４を装着することができない。
【００１４】
また、図５に示したように、矯正治具９１は、その内向き鍔状のストッパ部９３がピストン５１の端面５１ａに突き当たるまでピストン５１に対して軸方向に押し込まれることにより使用されるものである。したがって、ピストン５１の仕様が変更されて、上記したようにピストン５１の端面５１ａから最も奥の装着溝５２までの軸方向長さが延長されると、この矯正治具９１が装着溝５２に届かない事態が発生することがあり、この場合、装着溝５２に装着されたリング５４を矯正することができない。
【００１５】
そして、以上の場合は、ピストン５１の仕様が変更されるたびに、新たな仕様に合わせて、治具やスペーサ８１を再製作しなければならない。
【００１６】
尚、下記特許文献１または２等に掲載されているように、弾性リングを円錐面状スライド面に沿ってスライドさせることにより弾性的に拡径させること自体は公知の技術である。
【００１７】
【特許文献１】特開平１１−２８５９８７号公報
【特許文献２】第２６０３８５４号実用新案登録公報
【発明の開示】
【発明が解決しようとする課題】
【００１８】
本発明は以上の点に鑑みて、装着溝の軸方向位置についてピストン等の装着部材の仕様が変更されても、同じ治具を使用し続けることができるリング装着治具を提供することを目的とし、併せて、装着治具の構成要素からスペーサを省略することができるリング装着治具を提供することを目的とする。
【課題を解決するための手段】
【００１９】
上記目的を達成するため、本発明の請求項１によるリング装着治具は、ピストン等の装着部材の外周面に設けた環状の装着溝に組合せシール等のリングを装着する際に使用する装着治具であって、前記リングを軸方向にスライドさせながら弾性的に拡径させる円錐面状のスライド面を設けたスライド治具と、前記スライド治具にセットしたリングを押圧して前記スライド面に沿ってスライドさせる押し込み治具とを有し、前記スライド治具は、前記スライド面を設けた第一スライド治具のほかに第二スライド治具を有し、前記第二スライド治具は、前記第一スライド治具にて拡径したリングを保持した状態で前記装着部材に外挿され、装着溝近傍でリングを押さえてこの第二スライド治具を引き抜くことによりリングを装着溝に装着するものであり、かつ軸方向全長に亙って前記装着部材の外径寸法よりも大きな内径寸法を有して前記装着部材に対する外挿深さを制限されない形状とされていることを特徴とする。
【００２０】
また、本発明の請求項２によるリング装着治具は、上記した請求項１のリング装着治具において、第二スライド治具は、第一スライド治具にて拡径したリングを保持するリング保持部と、この第二スライド治具を引き抜くときに使用される引き抜き操作部とを有することを特徴とする。
【００２１】
更にまた、本発明の請求項３によるリング装着治具は、上記した請求項１または２のリング装着治具において、当該リング装着治具は、スライド治具および押し込み治具のほかに、装着溝に装着したリングの外径寸法を矯正するための矯正治具を有し、前記矯正治具はこれも、軸方向全長に亙って装着部材の外径寸法よりも大きな内径寸法を有して前記装着部材に対する外挿深さを制限されない形状とされていることを特徴とする。
【００２２】
上記構成を備えた本発明の請求項１による装着治具によれば、リング装着作業が以下のようにして行なわれる。
【００２３】
すなわち、先ず、第一スライド治具の円錐面状のスライド面にリングをセットし、このリングを押し込み治具にて軸方向に押圧してスライドさせながら弾性的に拡径させ、第二スライド治具に保持させる。次いで、リングを保持した状態の第二スライド治具をピストン等の装着部材に外挿し、第二スライド治具の一端を装着溝と軸方向に位置合わせる。次いで、リングを押さえて動かないようにして第二スライド治具を引き抜くと、リングが第二スライド治具から外れるのと同時に弾性的に縮径復帰して装着溝に装着される。第二スライド治具は、その軸方向全長に亙って装着部材の外径寸法よりも大きな内径寸法を有して装着部材に対する外挿深さを制限されないものであるため、装着部材の全長に亙って自在にスライドすることが可能である。したがって、装着溝の軸方向位置について装着部材の仕様が変更されても、治具が短過ぎて装着溝に届かないという事態が発生することがない。
【００２４】
この直接の装着作業を担う第二スライド治具には、第一スライド治具にて拡径したリングを拡径状態のまま保持するリング保持部のほかに、この第二スライド治具を引き抜くときに使用する引き抜き操作部を設けるのが好適であり、このように引き抜き操作部を設けると、第二スライド治具を引き抜き易くなる（請求項２）。
【００２５】
また、本発明においてオプショナルな構成要素とされる矯正治具についても、これを軸方向全長に亙って装着部材の外径寸法よりも大きな内径寸法を有して装着部材に対する外挿深さを制限されないものとすると、装着溝の軸方向位置についてピストン等の装着部材の仕様が変更されても対応することが可能となる（請求項３）。
【発明の効果】
【００２６】
本発明は、以下の効果を奏する。
【００２７】
すなわち、上記構成を備えた本発明の請求項１によるリング装着治具においては、スライド治具に円錐面状のスライド面を有する第一スライド治具のほかに第二スライド治具が設けられ、この第二スライド治具が、第一スライド治具にて拡径したリングを保持した状態で装着部材に外挿され、装着溝近傍でリングを押さえてこの第二スライド治具を引き抜くことによりリングを装着溝に装着するものであり、かつ軸方向全長に亙って装着部材の外径寸法よりも大きな内径寸法を有して装着部材に対する外挿深さを制限されないものとされているために、この第二スライド治具はこれを、装着部材の全長に亙って所望の軸方向位置にセットすることが可能とされている。したがって、装着部材の仕様が変更されて装着溝の位置が変更されても、これに合わせてセット位置を変更することにより当該治具による装着作業を行なうことができ、治具を再製作する必要がない。また、装着溝が複数設けられている場合も、第二スライド治具のセット位置を順次変えることにより当該治具による装着作業を行なうことができ、スペーサを省略することができる。
【００２８】
またこれに加えて、上記構成を備えた本発明の請求項２によるリング装着治具においては、第二スライド治具にリング保持部のほかに引き抜き操作部が設けられているために、治具引き抜き作業を容易化することができる。
【００２９】
また、上記構成を備えた本発明の請求項３によるリング装着治具においては、矯正治具が軸方向全長に亙って装着部材の外径寸法よりも大きな内径寸法を有していて装着部材に対する外挿深さを制限されないものとされているために、外挿深さの制限を受けることなく、すべてのリングに対して径寸法の矯正作業を行なうことができる。
【発明を実施するための最良の形態】
【００３０】
つぎに本発明の実施例を図面にしたがって説明する。
【００３１】
図１および図２は、本発明の実施例に係るリング装着治具を示しており、当該実施例に係るリング装着治具は、ピストン（センタースイベル）５１の外周面に設けた複数（図では６箇所）の装着溝５２のそれぞれに、上記図３（Ｂ）に示した組合せシール５３における樹脂製の摺動リング５４を装着するために用いられる。
【００３２】
当該実施例に係るリング装着治具は、スライド治具１および押し込み治具１１を有しており、両治具１，１１はそれぞれ、以下のように構成されている。
【００３３】
すなわち先ず、スライド治具１は、第一スライド治具２と第二スライド治具６との組み合わせよりなり、第一スライド治具２に対して第二スライド治具６が着脱自在に組み合わされている。
【００３４】
第一スライド治具２は、筒状の治具本体３を有しており、この治具本体３の外周面に、リング５４を軸方向にスライドさせながら弾性的に拡径させる円錐面状のスライド面４が設けられている。また、治具本体３の先端側（図上右側）には、その外周側に第二スライド治具６を軸方向にスライド自在に保持する筒状の治具保持部５が一体成形されている。円錐面状のスライド面４の最小外径寸法は、このスライド面４にリング５４をセットできるよう、リング５４の内径寸法よりも小さく形成されており、スライド面４の最大外径寸法は、拡径したリング５４をピストン５１に外挿できるよう、ピストン５１の外径寸法よりも大きく形成されている。
【００３５】
第二スライド治具６は、第一スライド治具２の治具保持部５の外周側に軸方向にスライド自在に保持される筒状のリング保持部７を有しており、このリング保持部７の先端側（図上右側）に、外向き（図上右側）鍔状の引き抜き操作部８が一体成形されている。リング保持部７の外径寸法は、スライド面４からこのリング保持部７へとリング５４を円滑にスライドさせ得るよう、第一スライド治具２のスライド面４の最大外径寸法と同径に形成されている。
【００３６】
また、この第二スライド治具６の内径寸法は、軸方向の全長に亙ってピストン５１の外径寸法よりも大きく形成されている。すなわち、この第二スライド治具６は、その軸方向全長に亙って内径寸法をピストン５１の外径寸法よりも大きく設定した軸方向貫通穴９を有しており、この軸方向貫通穴９をもってピストン５１の外周側に外挿される。したがって、この第二スライド治具６は、ピストン５１に対する外挿深さを制限されることなく、ピストン５１の外周側を軸方向一方から他方へとすり抜けできる形状とされている。
【００３７】
一方、押し込み治具１１は、第一スライド治具２の治具本体３および第二スライド治具６のリング保持部７の外周側に外挿されるように大径の筒状に形成されており、その先端（図上右側）に、第一スライド治具２にセットしたリング５４を押圧して第二スライド治具６のリング保持部７まで軸方向にスライドさせる先端押圧部１２が設けられている。
【００３８】
上記スライド治具１および押し込み治具１１を有するリング装着治具を用いて装着溝５２にリング５４を装着するに際しては、図１（Ａ）に示すように、当該装着治具をピストン５１に対してセットするよりも前に、第一スライド治具２のスライド面４にリング５４をセットし、このリング５４を押し込み治具１１にて軸方向に押圧して（矢印Ａ）、図１（Ｂ）に示すように、第二スライド治具６のリング保持部７上までスライドさせる。押し込み治具１１にて押圧されたリング５４は、スライド面４上をスライドするときにスライド面４のテーパーにしたがって徐々に弾性的に拡径せしめられ、この拡径状態を保ったままで第二スライド治具６のリング保持部７上に保持される。
【００３９】
次いで、押し込み治具１１を取り外し、図１（Ｃ）に示すように、リング５４を保持した状態の第二スライド治具６を第一スライド治具２から取り外して、図２（Ａ）に示すように、この第二スライド治具６をピストン５１の外周に外挿し、リング保持部７の開放側先端部７ａを、これからリング５４を装着しようとする装着溝５２と軸方向に位置合わせする。図では、最も奥の装着溝５２にリング５４を装着しようとしているので、この装着溝５２の手前側の内部側壁に対してリング保持部７の開放側端部７ａが位置合わせされている。
【００４０】
次いで、リング５４を押さえて動かないようにし、この状態で、第二スライド治具６の引き抜き操作部８を掴んで、第二スライド治具６を手前側（図上左側）に強く引き抜く。すると、リング５４は第二スライド治具６から外れ、外れるのと同時に弾性的に縮径復帰するので、その直下位置の装着溝５２に装着される。
【００４１】
次いで、他の装着溝５２にリング５４を装着するが、このときは上記手順を繰り返し、図２（Ｂ）に示すように、リング保持部７の開放側先端部７ａを、これからリング５４を装着しようとする装着溝５２と軸方向に位置合わせする。図では、奥から２番目の装着溝５２にリング５４を装着しようとしているので、この装着溝５２の手前側の内部側壁に対してリング保持部７の開放側端部７ａが位置合わせされている。以後の手順も上記と同じであり、装着溝５２の数だけこれを繰り返して、すべての装着溝５２にリング５４を装着する。
【００４２】
また、上記従来技術の欄で説明したとおり、各装着溝５２に装着されたリング５４は縮径復帰の結果として装着溝５２に装着されるが、装着作業に際して一旦大きく拡径されたことから、縮径の度合いが不十分なことがあり、そのままの径寸法では大き過ぎて、ピストン５１と組み合わされるシリンダ５６の内径寸法に適合しないことがある。そこで、装着の仕上げ作業としてリング径寸法の矯正作業を行ない、この作業には、同じリング装着治具の一部である矯正治具２１を用いる。
【００４３】
図２（Ｃ）に示すように、当該実施例に係る矯正治具２１は、全体として筒状に形成されており、その内周面に、シリンダ５６の内径と同径の内径寸法を備えた円筒状の矯正面２２が設けられている。また、矯正面２２の軸方向両端部にはそれぞれ円錐面状のガイド面２３が設けられている。また、矯正治具２１の後端部には外向き鍔状の操作部２４が一体成形されている。
【００４４】
また、この矯正治具２１は、上記径寸法の矯正面２２およびガイド面２３を有することにより、その軸方向全長に亙って、内径寸法をピストン５１の外径寸法よりも大きく設定した軸方向貫通穴２５を有しており、この貫通穴２５をもってピストン５１の外周側に外挿される。したがって、この矯正治具２１は、ピストン５１に対する外挿深さを制限されず、ピストン５１を軸方向一方から他方へとすり抜けできる形状とされている。
【００４５】
上記矯正治具２１を用いてリング５４の径寸法を矯正するに際しては、図２（Ｃ）に示したように、この矯正治具２１をピストン５１に対して軸方向に押し込んで（矢印Ｂ）、所定の時間の経過を待ち、次いで、この矯正治具２１をピストン５１から引き抜く。すると、各装着溝５２に装着されたリング５４はまとめて縮径矯正される。
【００４６】
上記構成を備えたリング装着治具によれば、以下の作用効果を奏することが可能である。
【００４７】
すなわち、上記構成のリング装着治具においては、リング５４を拡径させるスライド治具１に円錐状のスライド面４を設けた第一スライド治具２のほかに第二スライド治具６が設けられ、この第二スライド治具６が、第一スライド治具２にて拡径したリング５４をリング保持部７で保持した状態でピストン５１に外挿され、リング保持部７の開放側先端部７ａを装着溝５２と軸方向に位置合わせし、リング５４を押さえてこの第二スライド治具６を引き抜くことによりリング５４を装着溝５２に装着するものとされ、かつその軸方向全長に亙ってピストン５１の外径寸法よりも大きな内径寸法を有してピストン５１に対する外挿深さを制限されないものとされているために、この第二スライド治具６はこれをピストン５１の全長に亙って所望の軸方向位置にセットすることが可能とされている。したがって、装着溝５２の軸方向位置についてピストン５１の仕様が変更されてもこれに合わせてセット位置を変更することにより当該治具６による装着作業を行なうことができ、よって仕様の変更に合わせていちいち治具６を再製作する手間を省くことができる（ピストン端からシール溝までの距離に左右されずリングの装着が可能となる）。また、装着溝５２が軸方向に複数設けられている場合も、ピストン５１上で第二スライド治具６のセット位置を順次変えることにより当該治具６による装着作業を行なうことができることから、上記従来技術におけるスペーサを省略することができる。
【００４８】
また、第二スライド治具６に、リング保持部７のほかに引き抜き操作部８が設けられているために、この引き抜き操作部８を掴んで治具引き抜き作業を行なうことにより、第二スライド治具６を容易に引き抜くことができる。
【００４９】
また、第二スライド治具６のほかに矯正治具２１についても、その軸方向全長に亙ってピストン５１の外径寸法よりも大きな内径寸法を有してピストン５１に対する外挿深さを制限されないものとされているために、ピストン５１に対する外挿深さを制限されることなく、すべてのリング５４について矯正作業を行なうことができる（ピストン端からシール溝までの距離に無関係にリングを矯正することが可能となる）。
【００５０】
尚、上記実施例に係るリング装着治具は、本発明の技術的範疇において、その構造を種々変更することが可能である。また、装着対象部品も、ピストンおよび組合せシールの組み合わせに限定されるものではない。
【図面の簡単な説明】
【００５１】
【図１】本発明の実施例に係るリング装着治具の断面図であって、（Ａ）（Ｂ）および（Ｃ）の順にリング装着工程を示す説明図
【図２】同じく本発明の実施例に係るリング装着治具の断面図であって、（Ａ）（Ｂ）および（Ｃ）の順にリング装着工程を示す説明図
【図３】（Ａ）は装着対象部品の一例としてのピストンの要部断面図、（Ｂ）は同ピストンに備えられる組合せシールの拡大断面図
【図４】従来例に係るリング装着治具の断面図であって、（Ａ）（Ｂ）および（Ｃ）の順にリング装着工程を示す説明図
【図５】同じく従来例に係るリング装着治具の断面図
【符号の説明】
【００５２】
１  スライド治具
２  第一スライド治具
３  治具本体
４  スライド面
５  治具保持部
６  第二スライド治具
７  リング保持部
７ａ  開放側先端部
８  引き抜き操作部
９，２５  軸方向貫通穴
１１  押し込み治具
１２  先端押圧部
２１  矯正治具
２２  矯正面
２３  ガイド面
２４  操作部
５１  ピストン（装着部材）
５１ａ  端面
５２  装着溝
５３  組合せシール
５４  摺動リング（リング）
５５  バックリング
５６  シリンダ
【図１】
2007021694.tif 000003
【図２】
2007021694.tif 000004
【図３】
2007021694.tif 000005
【図４】
2007021694.tif 000006
【図５】
2007021694.tif 000007
【手続補正書】
【提出日】平成17年8月4日(2005.8.4)
【手続補正１】
【補正対象書類名】図面
【補正対象項目名】全図
【補正方法】変更
【補正の内容】
【図１】
2007021694.tif 000008
【図２】
2007021694.tif 000009
【図３】
2007021694.tif 000010
【図４】
2007021694.tif 000011
【図５】
2007021694.tif 000012